(57)【要約】【課題】カメラ用三脚に取り付けて、カメラ付携帯電話機を接続し、それによってカメラ付携帯電話機を立てることができる三脚用アタチメントを提供することにある。【解決手段】三脚用アタチメントはカメラ付携帯電話機の端子部と接続するための縦向きの接続端子部（２）を有するコネクター構造体（５）を有し、コネクター構造体は三脚の雄ねじにねじ込まれるようになった雌ねじ（３）を備えている。【選択図】　　　図１
0003097764.tif 000002
【実用新案登録請求の範囲】
【請求項１】
カメラ付携帯電話機の端子部と接続するための縦向きの接続端子部を有するコネクターブロックの形態のコネクター構造体に、三脚の雄ねじにねじ込まれるようになった雌ねじを設けたことを特徴とする、三脚用アタチメント。
【請求項２】
コネクターブロックは縦向きの接続端子部と電気的に接続された後ろ向きの充電接続端子部を備えている、請求項１に記載の三脚用アタチメント。
【請求項３】
コネクター構造体は電池ボックスの形態のものからなる、請求項１に記載の三脚用アタチメント。
【請求項４】
カメラ付携帯電話機の端子部がコネクターブロック又は電池ボックスの縦向きの接続端子部に接続されるとき、カメラのガタ揺れを防止するために縦向きの接続端子部の周りに弾性材料のパッドが設けられる、請求項１、２又は３に記載の三脚用アタチメント。
【請求項５】
コネクターブロック又は電池ボックスの雌ねじと三脚の雄ねじとの螺合によるガタのない結合を確保するために雌ねじの周りに弾性材料のパッドが固定される、請求項１乃至４のいずれか１項に記載の三脚用アタチメント。
【考案の詳細な説明】
【０００１】
【考案の属する分野】
本考案は、カメラ付携帯電話機をカメラ用三脚に装着するのに使用される三脚用アタチメントに関する。
【０００２】
【従来の技術】
セルフタイマーを内蔵したカメラ付携帯電話機の場合、セルフタイマーを使って写真を撮ろうとすれば、当然の事として携帯電話機を立て掛けることが必要になる。その立て掛けには、一般的には、充電スタンドが利用されことになる。
【０００３】
【考案が解決しようとする課題】
カメラ付携帯電話機を充電スタンドに差して立てた場合、充電スタンドの構造上、カメラの向きが常に決まってしまうことから、スタンドの置き方を工夫してカメラの向きを調整する必要がある。その上、充電スタンドは寸法形状が大きく嵩張っているため、これを携帯するには不向きである。
本考案者は、小型のデジタルカメラ用に市販されている簡易なカメラ用三脚に注目し、これをカメラ付携帯電話機の三脚として利用できないものか考え、本願考案に至ったものである。簡易なカメラ用三脚に共通している基本的な構造は、カメラの雲台又は雲台兼三脚支持部に雄ねじが設けられていることである。カメラを三脚で支えるには、この三脚の雄ねじがカメラの三脚取り付け用雌ねじにねじ込まれる。
本考案の目的は、かかるカメラ用三脚に取り付けて、カメラ付携帯電話機を接続し、それによってカメラ付携帯電話機を立てることができる三脚用アタチメントを提供することにある。
【０００４】
【課題を解決するための手段】
本発明の目的は、カメラ付携帯電話機の端子部と接続するための縦向きの接続端子部を有するコネクターブロックの形態のコネクター構造体に、三脚の雄ねじにねじ込まれるようになった雌ねじを設けたことを特徴とする、三脚用アタチメントを提供することによって達成される。
【０００５】
本考案の好ましい実施形態では、コネクターブロックは縦向きの接続端子部と電気的に接続された後ろ向きの充電接続端子部を備えてもよい。
本考案の他の好ましい実施形態では、コネクター構造体は電池ボックスの形態のものからなっていてもよい。
【０００６】
本考案の更に他の好ましい実施形態では、カメラ付携帯電話機の端子部がコネクターブロック又は電池ボックスの縦向きの接続端子部に接続されるとき、カメラのガタ揺れを防止するために縦向きの接続端子部の周りに弾性材料のパッドが設けられる。加えてコネクターブロック又は電池ボックスの雌ねじと三脚の雄ねじとの螺合によるガタのない結合を確保するために雌ねじの周りに弾性材料のパッドが固定される。
【０００７】
【作用】
コネクターブロック又は電池ボックスを、その雌ねじと三脚の雄ねじとの螺合により三脚に固定する。カメラ付携帯電話機の端子部をコネクターブロック又は電池ボックスの縦向きの端子部に差し込んで接続し、それによってカメラ付携帯電話機を三脚で支持する。カメラ付携帯電話機の向きの調整は三脚の種類に応じて、脚の開き具合により、或いは取付け台の位置の調整により行われる。
【０００８】
コネクターブロックが互いに接続された縦向きの接続端子部と後ろ向きの充電端子部を有するアタチメントの場合には、三脚は本考案によるアタチメントを利用して、充電端子部にＡＣアダプターのコネクターを接続すれば、充電スタンドとしても使用することができる。電池ボックスの場合には、底に納められる直列の単四電池との電気接続により、カメラ付携帯電話機の電池が切れている時でもこれに給電してカメラ付携帯電話機を引き続き機能させることができる。
【０００９】
【考案の実施形態】
以下、本考案によるカメラ付携帯電話の三脚用アタチメントの実施形態を添付図面を参照してもっと詳細に説明する。
【００１０】
図１及び２は、本考案による三脚用アタチメントの実施形態を示す斜視図である。アタチメント１は、上部に縦向きの接続端子部２を有し、底部に三脚取り付け用雌ねじ３を有するコネクターブロック４の形態のコネクター構造体５を含む。図１、２に示すコネクター構造体５は、コネクターとしての機能を有するに過ぎないものであるが、他の機能を有するものであってもよい。図３は電池ボックス６の形態のコネクター構造体５を示す。電池ボックス６はその内部に直列に配列収容される３本の単四電池７を有し、電池は縦向きの接続端子部２に電気的に接続されていることは明らかである。他の構造はコネクターブロックの場合と同様である。縦向きの接続端子部２の周りには弾性材料のパッド８が取り付けられ、また、コネクターブロック４又は電池ボックス６の底部には、三脚取り付け用雌ねじ３の周りに弾性材料のパッド９が取り付けられている。
【００１１】
図２において、参照番号１０は、市販されている１つの簡易なカメラ用三脚を指示し、三脚１０は、３本の脚１１の上端を固定的に支持している支持兼雲台１２を有し、支持兼雲台１２にはカメラ取り付け用雄ねじ１３が固定されている。３本の脚１１は、それ自体で自立し、自在に屈曲することができる芯入り螺旋バネ構造のものである。
【００１２】
図４は、本考案による三脚用アタチメントの他の実施形態を示す斜視図である。この実施形態は、アタチメント１のコネクターブロック４が縦向きの接続端子部２と電気的に接続された後ろ向きの充電端子部１４を含む以外は、図１及び２に示す実施形態と同じである。図４に示す簡易なカメラ用三脚１５はこれもまた市販されている他の形式のものであって、三脚１５は支持台１６に固定された中央脚１７と、支持台１６に開脚可能に取り付けられた、中央脚の両側の脚１８と、を含み、雲台１９が支持台１６に、その向きを調節できるように取り付けられている。カメラ取り付け用雄ねじ２０がノブ２１で回転させることができるように雲台１９に取り付けられている。
【００１３】
使用に際し、図示したいずれの三脚の場合においても、先ず、コネクターブロック４の雌ねじ３を三脚の雄ねじ１３又は２０にねじ込んでコネクターブロック４を三脚に固定する。図５で分かるように、カメラ付携帯電話機２２の端子部をコネクターブロック４の縦向きの端子部２に差し込んで接続し、それによってカメラ付携帯電話機２２を三脚で支持する。電池ボックス６の場合も、同様にして三脚に取り付けられる。
【００１４】
三脚の開脚具合により（図２の場合）、或いは開脚後雲台１９を支持台１６に対して位置の調節を行えば（図４の場合）、カメラ付携帯電話機の向きを決めることができる。コネクターブロック４が互いに接続された縦向きの接続端子部２と後ろ向きの充電端子部１１を有するアタチメントの場合には、充電端子部１４にＡＣアダプターのコネクターを接続すれば、充電スタンドとしても使用することができる。
【００１５】
いずれにしても、カメラ付携帯電話機を三脚で支持することにより、普通の撮影は勿論のこと、セルフタイマーによる撮影を行うことができる。本考案によれば、縦向きの接続端子部及び三脚取り付け用雌ねじの周りに設けられた弾性材料のパッド８及び９がカメラ付携帯電話機の接続におけるガタ揺れ防止及びコネクターブロック又は電池ボックスと三脚の雲台との間の確実なねじ締め付けを保証する。
【００１６】
本考案による三脚用アタチメントは、これを利用することによって、カメラ用の簡易な三脚をカメラ付携帯電話機の三脚に使用することができるので、大変便利である。
【図面の簡単な説明】
【図１】本考案によるカメラ付携帯電話機の三脚用アタチメントの斜視図である。
【図２】図１に示す三脚用アタチメントと三脚の正面図である。
【図３】本考案による他の実施形態の三脚用アタチメントの斜視図である。
【図４】本考案による更に他の実施形態の三脚用アタチメントと三脚の斜視図である。
【図５】三脚にカメラ付携帯電話機を連結した状態で示す概略斜視図である。
【符号の説明】
１　アタチメント
２　縦向きの接続端子部
３　三脚取り付け用雌ねじ
４　コネクターブロック
５　コネクター構造体
６　電池ボックス
７　単四電池
８　弾性材料のパッド
９　弾性材料のパッド
１０　カメラ用三脚
１１　脚
１２　支持兼雲台
１３　カメラ取り付け用雄ねじ
１４　充電端子部
１５　三脚
１６　支持台
１７　中央脚
１８　両側の脚
１９　雲台
２０　カメラ取り付け用雄ねじ
２１　ノブ
【図１】
0003097764.tif 000003
【図２】
0003097764.tif 000004
【図３】
0003097764.tif 000005
【図４】
0003097764.tif 000006
【図５】
0003097764.tif 000007
【手続補正書】
【提出日】平成15年5月27日(2003.5.27)
【手続補正１】
【補正対象書類名】図面
【補正対象項目名】全図
【補正方法】変更
【補正の内容】
【図１】
0003097764.tif 000008
【図２】
0003097764.tif 000009
【図３】
0003097764.tif 000010
【図４】
0003097764.tif 000011
【図５】
0003097764.tif 000012